(57)【特許請求の範囲】
【請求項１】
電池の電圧が所定の電圧に達するまで、一定の電流で充電を行い、所定の電圧に達した以後はその電圧を一定に維持するように電流を制御して充電を行う急速充電装置において、
前記一定の電流の電流値に比べて、前記電池へ供給する電流値を高めるための付加電流を、前記電池の劣化状況に応じて特定する付加電流特定手段と、
前記付加電流を、前記一定の電流とともに、前記電池に充電する付加電流充電手段と、
を備え、
前記付加電流特定手段は、前記電池に単一量の電流を一定期間流す前の電圧と、流した後の電圧との電圧差により前記劣化状況を特定し、前記電圧差には、異なる時間に得られた複数の電圧差が含まれ、
前記異なる時間に得られた複数の電圧差とは、前記付加電流が特定される直前に得られた最新の電圧差と、前記最新の電圧差の次に最新の電圧差であり、
更に、前記付加電流特定手段は、前記最新の電圧差と、前記次に最新の電圧差との差により前記付加電流を特定する、
ことを特徴とする急速充電装置。
【請求項２】
前記付加電流特定手段は、
前記電池に単一量の電流を一定期間流す前の前記電池の温度と、流した後の前記電池の温度との温度差により前記劣化状況を特定することを特徴とする請求項１記載の急速充電装置。
【請求項３】
前記温度差には、異なる時間に得られた複数の温度差が含まれることを特徴とする請求項２記載の急速充電装置。
【請求項４】
前記付加電流充電手段は、
前記付加電流を、充電初期及び充電終期では付加せず、前記充電初期と前記充電終期の間の付加可能期間に付加することを特徴とする請求項１記載の急速充電装置。
【請求項５】
前記電池はリン酸鉄リチウム２次電池であり、
前記付加可能期間は、
前記電圧が２．０ボルト以上、且つ、３．９ボルト以下の期間であることを特徴とする請求項４記載の急速充電装置。
【請求項６】
電池の電圧が所定の電圧に達するまで、一定の電流で充電を行い、所定の電圧に達した以後はその電圧を一定に維持するように電流を制御して充電を行う急速充電プログラムにおいて、
コンピュータを、
前記一定の電流の電流値に比べて、前記電池へ供給する電流値を高めるための付加電流を、前記電池の劣化状況に応じて特定する付加電流特定手段、
前記付加電流を、前記一定の電流とともに、前記電池に充電する付加電流充電手段、
として機能させ、
前記付加電流特定手段は、前記電池に単一量の電流を一定期間流す前の電圧と、流した後の電圧との電圧差により前記劣化状況を特定し、前記電圧差には、異なる時間に得られた複数の電圧差が含まれ、
前記異なる時間に得られた複数の電圧差とは、前記付加電流が特定される直前に得られた最新の電圧差と、前記最新の電圧差の次に最新の電圧差であり、
更に、前記付加電流特定手段は、前記最新の電圧差と、前記次に最新の電圧差との差により前記付加電流を特定する、
ことを特徴とする急速充電プログラム。
【請求項７】
電池の電圧が所定の電圧に達するまで、一定の電流で充電を行い、所定の電圧に達した以後はその電圧を一定に維持するように電流を制御して充電を行う急速充電方法において、
付加電流特定手段が、前記一定の電流の電流値に比べて、前記電池へ供給する電流値を高めるための付加電流を、前記電池の劣化状況に応じて特定する付加電流特定ステップと、
付加電流充電手段が、前記付加電流を、前記一定の電流とともに、前記電池に充電する付加電流充電ステップと、
を行い、
前記付加電流特定手段は、前記電池に単一量の電流を一定期間流す前の電圧と、流した後の電圧との電圧差により前記劣化状況を特定し、前記電圧差には、異なる時間に得られた複数の電圧差が含まれ、
前記異なる時間に得られた複数の電圧差とは、前記付加電流が特定される直前に得られた最新の電圧差と、前記最新の電圧差の次に最新の電圧差であり、
更に、前記付加電流特定手段は、前記最新の電圧差と、前記次に最新の電圧差との差により前記付加電流を特定する、
ことを特徴とする急速充電方法。
【発明の詳細な説明】
【技術分野】
【０００１】
本発明は、充電装置、充電プログラム、充電方法に関し、特に、急速充電を行うことにより、充電時間を短縮できる充電装置や充電方法等に関するものである。
【背景技術】
【０００２】
現在、スマートフォンをはじめとする携帯端末が一般に広く普及している。携帯端末は電池を内蔵するものであるが、この電池には充電して繰り返し使える二次電池が使用されている。この二次電池の充電時間は、短い方が好ましい。携帯端末は、所有者が外に持ち運ぶものであるため、充電に長時間を要すると、充分に充電できないまま、所有者が携帯端末を持ち歩くことになってしまうからである。
充電時間を短くするには、短時間のうちに二次電池に大電流を流せばよい。しかし、これを行うと電極構造や電解液の性質上、二次電池がダメージを受けて劣化し、電池寿命が短くなるという問題がある。
【０００３】
この問題を解決するため、定電流定電圧方式と呼ばれる充電方式が広く使用されている。定電流定電圧方式とは、図１０に示すグラフの通り、電池の電圧が所定の電圧に達するまで、一定の電流で充電を行い、それ以後はその電圧を一定に維持するように電流を制御して充電を行う方法である（非特許文献１）。
定電流定電圧方式は、電池が劣化しないよう電流を調整するので、電池の寿命を延ばすことができる。
【先行技術文献】
【特許文献】
【０００４】
【非特許文献１】ｈｔｔｐ：／／ｄｅｔａｉｌ．ｃｈｉｅｂｕｋｕｒｏ．ｙａｈｏｏ．ｃｏ．ｊｐ／ｑａ／ｑｕｅｓｔｉｏｎ＿ｄｅｔａｉｌ／ｑ１４８６１０１０８４／Ｙａｈｏｏ知恵袋  ＣＣＣＶ充電について／検索日：２０１４年１０月２３日
【発明の概要】
【発明が解決しようとする課題】
【０００５】
上記の通り、定電流定電圧方式は、所定の電圧になるまで一定の電流を流すものであるが、必ずしも電流を一定にする必要はなく、適切な電流調整を行えば、電流を増加させても電池の劣化を防止することが可能である。すなわち、この充電方式には、電池の劣化を防止しつつ充電時間を短縮する余地が多く残されているにも拘わらず、そのような技術はこれまでに提供されていなかった。
【０００６】
本発明は、このような課題を解決するためのものであり、適切な電流調整を行って電池の劣化を防止するとともに、充電時間を短縮する充電装置や充電方法等を提供するものである。
【課題を解決するための手段】
【０００７】
上記問題を解決するため、本発明では、電池の電圧が所定の電圧に達するまで、一定の電流で充電を行い、所定の電圧に達した以後はその電圧を一定に維持するように電流を制御して充電を行う急速充電装置において、前記一定の電流の電流値に比べて、前記電池へ供給する電流値を高めるための付加電流を、前記電池の劣化状況に応じて特定する付加電流特定手段と、前記付加電流を、前記一定の電流とともに、前記電池に充電する付加電流充電手段とを備え、前記付加電流特定手段は、前記電池に単一量の電流を一定期間流す前の電圧と、流した後の電圧との電圧差により前記劣化状況を特定し、前記電圧差には、異なる時間に得られた複数の電圧差が含まれ、前記異なる時間に得られた複数の電圧差とは、前記付加電流が特定される直前に得られた最新の電圧差と、前記最新の電圧差の次に最新の電圧差であり、更に、前記付加電流特定手段は、前記最新の電圧差と、前記次に最新の電圧差との差により前記付加電流を特定することを特徴とする急速充電装置が提供される。
【０００８】
本発明に係る急速充電装置は、電池の電圧が所定の電圧に達するまで、一定の電流で充電を行い、所定の電圧に達した以後はその電圧を一定に維持するように電流を制御して充電を行う急速充電装置において、前記電池の劣化状況に応じて特定される電流を、前記一定の電流とともに、前記電池に充電する。
これにより、電池の劣化状況に応じて特定される付加電流が、定電流定電圧方式による一定の電流とともに電池に充電される。
【０００９】
上記問題を解決するため、本発明では、電池の電圧が所定の電圧に達するまで、一定の電流で充電を行い、所定の電圧に達した以後はその電圧を一定に維持するように電流を制御して充電を行う急速充電プログラムにおいて、コンピュータを、前記一定の電流の電流値に比べて、前記電池へ供給する電流値を高めるための付加電流を、前記電池の劣化状況に応じて特定する付加電流特定手段、前記付加電流を、前記一定の電流とともに、前記電池に充電する付加電流充電手段として機能させ、前記付加電流特定手段は、前記電池に単一量の電流を一定期間流す前の電圧と、流した後の電圧との電圧差により前記劣化状況を特定し、前記電圧差には、異なる時間に得られた複数の電圧差が含まれ、前記異なる時間に得られた複数の電圧差とは、前記付加電流が特定される直前に得られた最新の電圧差と、前記最新の電圧差の次に最新の電圧差であり、更に、前記付加電流特定手段は、前記最新の電圧差と、前記次に最新の電圧差との差により前記付加電流を特定することを特徴とする急速充電プログラムが提供される。
【００１０】
本発明に係る急速充電プログラムは、電池の電圧が所定の電圧に達するまで、一定の電流で充電を行い、所定の電圧に達した以後はその電圧を一定に維持するように電流を制御して充電を行う急速充電装置において、前記電池の劣化状況に応じて特定される電流を、前記一定の電流とともに、前記電池に充電する。
これにより、電池の劣化状況に応じて特定される付加電流が、定電流定電圧方式による一定の電流とともに電池に充電される。
【００１１】
上記問題を解決するため、本発明では、電池の電圧が所定の電圧に達するまで、一定の電流で充電を行い、所定の電圧に達した以後はその電圧を一定に維持するように電流を制御して充電を行う急速充電方法において、付加電流特定手段が、前記一定の電流の電流値に比べて、前記電池へ供給する電流値を高めるための付加電流を、前記電池の劣化状況に応じて特定する付加電流特定ステップと、付加電流充電手段が、前記付加電流を、前記一定の電流とともに、前記電池に充電する付加電流充電ステップとを行い、前記付加電流特定手段は、前記電池に単一量の電流を一定期間流す前の電圧と、流した後の電圧との電圧差により前記劣化状況を特定し、前記電圧差には、異なる時間に得られた複数の電圧差が含まれ、前記異なる時間に得られた複数の電圧差とは、前記付加電流が特定される直前に得られた最新の電圧差と、前記最新の電圧差の次に最新の電圧差であり、更に、前記付加電流特定手段は、前記最新の電圧差と、前記次に最新の電圧差との差により前記付加電流を特定することを特徴とする急速充電方法が提供される。
【００１２】
本発明に係る急速充電方法は、電池の電圧が所定の電圧に達するまで、一定の電流で充電を行い、所定の電圧に達した以後はその電圧を一定に維持するように電流を制御して充電を行う急速充電装置において、前記電池の劣化状況に応じて特定される電流を、前記一定の電流とともに、前記電池に充電する。
これにより、電池の劣化状況に応じて特定される付加電流が、定電流定電圧方式による一定の電流とともに電池に充電される。
【発明の効果】
【００１３】
本発明は、電池の劣化状況に応じて特定される付加可能な電流が、定電流低電圧方式による一定の電流とともに電池に充電される
よって、従来の定電流定電圧方式よりも大きな電流を流しても電池を劣化させることなく、且つ、従来の定電流定電圧方式よりも充電時間を短縮することができる。
【図面の簡単な説明】
【００１４】
【図１】本発明のハードウェア構成の一例を表す図である。
【図２】電流および電圧の関係を示す図である。
【図３】期間特定情報の一例を表す図である。
【図４】劣化テストによる電流調整データの一例を表す図である。
【図５】前回電圧差に基づく付加電流値の一例を表す図である。
【図６】前回温度差に基づく付加電流値の一例を表す図である。
【図７】本発明を実施するためのフローチャートである。
【図８】ＳＴＥＰ１の詳細を表すフローチャートである。
【図９】ＳＴＥＰ２の詳細を表すフローチャートである。
【図１０】定電流定電圧方式における電流および電圧の関係を表す図である。
【発明を実施するための形態】
【実施例】
【００１５】
本発明の実施例を図に基づいて説明する。
図１は、本発明において利用されるハードウェアの構成図である。
本発明は、充電装置１と、充電装置１に電気を供給する電源２と、充電装置１からの電気の供給を受ける電池モジュール３とからなり、電源２と充電装置１とは電源供給用のコード４で接続され、充電装置１と電池モジュール３とは電源供給用のケーブル５で接続されている。なお、このケーブル５は、充電装置１と電池モジュール３との間で情報の送受信も可能なケーブルである。
【００１６】
充電装置１は、電流電圧制御部１１、電力供給部１２、劣化測定部１３、記憶部１４とからなる。
電流電圧制御部１１は、中央演算素子（ＣＰＵ）であり、内部にタイミング発生回路，アナログ値読み取り回路などを備える（なお、これに限るものではない）。この電流電圧制御部１１は、劣化測定部１３・記憶部１４から情報を受信し、それら情報に基づいて様々な制御を行い、電力供給部１２に対し電力の供給命令を送信する。
電力供給部１２は、電源２から電力を受取ると共に、電流電圧制御部１１からの命令に基づいて電池モジュール３に対し電力を供給する。
劣化測定部１３は、電流、電圧検出機能とそれらの周辺に配置されたフィルタ回路等を備える（なお、これに限るものではない）。この劣化測定部１３は、温度センサー３２から情報を受信し、これを電流電圧制御部１１に送信する。
記憶部１４は、電流電圧制御部１１からの情報要求に応じて情報を電流電圧制御部１１に送信する。また、電流電圧制御部１１から情報を受信して情報を記憶する。
【００１７】
電源２は、充電装置２に対して電力を供給する。
電池モジュール３は、例えば、携帯電話、パーソナルコンピュータなどの機器である。電池モジュール３は、電池３１と温度センサー３２とからなる。
電池３１は、リチウムイオン２次電池であり、ここではリン酸鉄リチウムイオン２次電池を使用する。ただし、電池３１はこれに限るものではなく、他の電池であってもよい。電池３１は、充電装置１から電力供給を受けて充電される。
温度センサー３２は、電池３１の温度を計るものであり、計った温度を電流劣化測定部１３に送信する。
【００１８】
図２は、本発明の電流および電圧の値を示したグラフである。
電圧は、徐々に電圧が高くなるカーブを描き、特に付加電流の増加に伴い電圧が高くなるカーブを描いている。
基礎電流は、従来例で示した電流と同じであり、従来例と同じカーブを描いている。
付加電流とは、基礎電流に付加する電流の値を示したものである。この付加電流は、初期においてその量は「０」である。初期が終了し、付加可能期に入ると徐々に電流が増し、終期に近づくにつれて電流が減少する。なお、付加電流および初期・不可可能期・終期の詳細については後述する。
【００１９】
次に、記憶部１４に記憶されているデータについて説明する。
図３は、期間特定情報を示したものである。
図３（ａ）は、初期から付加可能期に切り替わる時期を特定する為の情報である。ここでは電圧が「ａ１ボルトからａ２ボルト（実際にはａ１・ａ２の部分に具体的な数値が代入されている）」の間の場合は初期であり、電圧が「ａ３ボルトからａ４ボルト」の間の場合は付加可能期であり、電圧が「ａ５ボルトからａ６ボルト」の間の場合は終期である。
付加可能期において、電池３１に供給する電流を増加させることができる。これにより急速充電が可能となる。
なお、付加可能期は、電圧が「２．６ボルト以上、３．５ボルト以下」であることが望ましいが、「２．０ボルト以上、３．９ボルト以下」の期間であってもよい。
【００２０】
図４は、劣化テストによる電流調整データを示したものである。劣化テストとは、電池３１に一定期間一定の電流を流し、その期間の電圧変化や電池３１の温度変化を計測して、電池３１の劣化の程度を特定するものである。
図４（ａ）は、電圧変化による電流調整データであり、増加電圧範囲と付加電流値とを関連づけて記憶したものである。劣化テストにより、電圧の増加分を計測し、その増加分から付加電流値を抽出し、それを付加電流の量とする。
図４（ｂ）は、温度変化による電流調整データであり、増加温度範囲と付加電流値とを関連づけて記憶したものである。劣化テストにより、電池３１の温度の変化を計測し、その変化量から付加電流値を抽出し、それを付加電流の量とする。
【００２１】
図５は、前回電圧差に基づく付加電流値である。
図５（ａ）は、前回の劣化テストにおける電圧の変動値である。
図５（ｂ）は、前回の劣化テストにおける電圧の変動値と、今回の劣化テストにおける電圧の変動値との差を求め、その差に基づいて付加電流値を特定するためのデータである。例えば、差がｄ３ボルトの場合はｄ８アンペアの電流を基礎電流に付加する（実際にはｄ３・ｄ８の部分に具体的な数値が代入されている）。
【００２２】
図６は、前回温度差に基づく付加電流値を示したものである。
図６（ａ）は、前回の劣化テストにおける温度の変動値である。
図６（ｂ）は、前回の劣化テストにおける温度の変動値と、今回の劣化テストにおける温度の変動値との差を求め、その差に基づいて付加電流値を特定するためのデータである。例えば、差がｅ５度の場合はｅ９アンペアの電流を基礎電流に付加する（実際にはｅ５・ｅ９の部分に具体的な数値が代入されている）。
【００２３】
次に、本実施例の処理フローについて説明する。
図７は本実施例の処理フローである。このフローチャートは、電流制御処理（ＳＴＥＰ１）、付加電流処理（ＳＴＥＰ２）、電力供給処理（ＳＴＥＰ３）、終期確認処理（ＳＴＥＰ４）とからなる。
【００２４】
ＳＴＥＰ１は、電流制御処理であり、その詳細は図８の通りである。
ＳＴＥＰ１−１では、電流電圧制御部１１が、所定の電圧に達したか否かを確認する。所定の電圧に達していなかったらＳＴＥＰ１−２へ進み、所定の電圧に達したらＳＴＥＰ１−３に進む。
ＳＴＥＰ１−２は、電流電圧制御部１１が、充電する電流を一定にするための処理である。
ＳＴＥＰ１−３は、電流電圧制御部１１が、電圧を一定にするために電流を制御する処理である。
【００２５】
ＳＴＥＰ２は、付加電流処理であり、その詳細は図９の通りである。
ＳＴＥＰ２−１は、付加可能期確認処理である。
電流電圧制御部１１は、現在の電圧と、記憶部１４に記憶されている図３の期間特定情報とに基づき、現在が付加可能期であるか否かを確認する。付加可能期である場合はＳＴＥＰ２−２に進み、それ以外である場合はＳＴＥＰ２を終了する。
なお、付加電流は付加可能期にのみ付加されるものであり、初期と終期においては付加されない。初期は、電圧が低いため、初期に付加電流を流すと（大電流を流すと）イオンの衝撃力が強すぎて電池３１を劣化させてしまうからである。また、フル充電に近い状態の終期において、大電流を流すと、電池３１の劣化の原因になることが経験上知られているからである。
【００２６】
ＳＴＥＰ２−２は、劣化測定処理である。
劣化測定部１４は、一定期間（実際にはほんの一瞬）、一定の電流を流し、一定の電流を流す前の電圧および電池３１の温度と、一定の電流を流した後の電圧および電池３１との差を算出する。なお、ここで算出された電圧差を電圧差ｆ１とし、ここで算出された温度差を温度差ｆ２とする。
【００２７】
ＳＴＥＰ２−３は、付加電流特定処理である。
この付加電流特定処理は、付加する電流の値を特定する処理である。電池３１は性能が劣化するものであり、劣化状況に応じた付加電流を的確な値にしないと、劣化が更に進んでしまう。そこで、劣化状況を的確に把握して、その劣化状況に応じた最適な電流を付加できるようにするのがこの処理の趣旨である。
この処理は全部で４種類ある。この４種類の処理のうち、何れか１つの処理を行うだけでもよいし、４種類すべて行ってもよいし、４つの処理の中から任意のものを選び、それらを任意に組み合わせてもよい。
【００２８】
１つ目の処理は、電流電圧制御部１１が、電圧差ｆ１と、図４（ａ）「電圧変化による電流調整データ」とに基づいて、付加電流値を特定するものである。例えば、電圧差ｆ１が「ｂ２ボルト」であった場合は、「ｂ７アンペア」の付加電流値が特定される。
２つ目の処理は、電流電圧制御部１１が、温度差ｆ２と、図４（ｂ）「温度変化による電流調整データ」とに基づいて、付加電流値を特定するものである。例えば、温度差ｆ２が「ｃ６度」であった場合は、「ｃ９アンペア」の付加電流値が特定される。
【００２９】
３つ目の処理は、電流電圧制御部１１が、電圧差ｆ１と、図５（ａ）の「前回の電圧差（ｆ３）」と、図５（ｂ）の付加電流データとに基づいて、付加電流値を特定するものである。「電圧差ｆ１」と「前回の電圧差ｆ３」との差「ｆ４」を算出し、ｆ４の値から付加電流値を特定するものである。例えば、ｆ４の値がｄ１ボルトの場合はｄ７の付加電流値が特定される。
【００３０】
４つ目の処理は、電流電圧制御部１１が、温度差ｆ２と、図６（ａ）の「前回の温度差（ｆ５）」と、図６（ｂ）の付加電流データとに基づいて、付加電流値を特定するものである。「温度差ｆ２」と「前回の電圧差ｆ５」との差「ｆ６」を算出し、ｆ６の値から付加電流値を特定するものである。例えば、ｆ６の値がｅ４度の場合はｅ８アンペアの付加電流値が特定される。
【００３１】
ＳＴＥＰ３は、電力供給処理である。
電力供給部１２は、ＳＴＥＰ１−２・ＳＴＥＰ１−３・ＳＴＥＰ２で特定された電流に基づき、電池モジュール３に対し、電力を供給する。
【００３２】
ＳＴＥＰ４は、終期確認処理である。
電流電圧制御部１１は、終期が終了したか否かを確認し、終了していなければＳＴＥＰ１へ進み、終了した場合は充電を終了する。
【００３３】
この実施形態は本発明の範囲を限定するものではない。本実施形態で説明した各処理はどの装置で行ってもよい。例えば、１つの装置で行う処理を、複数の装置で行ってもよい。
また、本実施形態で説明したシステム構成（ハードウェア構成）は一例であり、用途や目的に応じて様々な構成があることは言うまでもない。
更に、本実施形態で説明したデータ構成は一例であり、用途や目的に応じて様々なデータ構成があることは言うまでもない。
【００３４】
なお、上記の処理機能は、コンピュータによって実現することができる。その場合、本発明に係る装置が有すべき機能の処理内容を記述した本発明に係るプログラムが提供される。そのプログラムをコンピュータで実行することにより、上記処理機能がコンピュータ上で実現される。処理内容を記述した本発明に係るプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録装置には、  ＭＯ（Ｍａｇｎｅｔｏ  Ｏｐｔｉｃａｌ  ｄｉｓｋ）などがある。
【００３５】
本発明に係るプログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００３６】
本発明に係るプログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置から本発明に係るプログラムを読み取り、そのプログラムに従った処理を実行する。
なお、コンピュータは、可搬型記録媒体からそのプログラムを読み取り、プログラムに従った処理を実行することもできる。また、コンピュータは、サーバコンピュータからプログラムが転送される毎に、逐次、受け取ったプログラムに従った処理を実行することもできる。
【００３７】
なお、本発明は、上述の実施の形態にのみ限定されるものではなく、本発明の要旨を逸脱しない範囲内において種々の変更を加えることができる。
【００３８】
上記については単に本発明の原理を示すものである。さらに、多数の変形、変更が当業者にとって可能であり、本発明は上記に示し、説明した正確な構成および  応用例に限定されるものではなく、対応するすべての変形例および均等物は、添付の請求項およびその均等物による本発明の範囲とみなされる。
【符号の説明】
【００３９】
１    充電装置
２    電源
３    電池モジュール
４    コード
５    ケーブル
１１  電流電圧制御部
１２  電力供給部
１３  劣化測定部
１４  記憶部
３１  電池
３２  温度センサー
【図１】
0006664872.tif 000002
【図２】
0006664872.tif 000003
【図３】
0006664872.tif 000004
【図４】
0006664872.tif 000005
【図５】
0006664872.tif 000006
【図６】
0006664872.tif 000007
【図７】
0006664872.tif 000008
【図８】
0006664872.tif 000009
【図９】
0006664872.tif 000010
【図１０】
0006664872.tif 000011